(57)【要約】  本発明は空気清浄機に関する。本発明の実施例に係る空気清浄機には、空気流動を発生させるメインファン及び空気を浄化するフィルター部材が備えられる空気清浄モジュールと；前記空気清浄モジュールの一側に動き可能に提供され、サブファンが備えられて前記空気清浄モジュールを通過した空気の流動方向を調節する流動調節装置とが含まれ、前記流動調節装置が第１位置にあるとき、前記サブファンが駆動されると、空気は前記流動調節装置の上方に排出され、前記流動調節装置が第２位置にあるとき、前記サブファンが駆動されると、空気は前記流動調節装置の前方上側に排出されることを特徴とする。【選択図】  図２４
2019512077.tif 000002
【特許請求の範囲】
【請求項１】
空気清浄機であって、
空気流動を発生させるメインファン及び空気を浄化するフィルター部材が備えられる空気清浄モジュールと、
前記空気清浄モジュールの一側に動き可能に提供され、サブファンが備えられて前記空気清浄モジュールを通過した空気の流動方向を調節する流動調節装置とが備えられなり、
前記流動調節装置が第１位置にあるとき、前記サブファンが駆動されると、空気は前記流動調節装置の上方に排出され、
前記流動調節装置が第２位置にあるとき、前記サブファンが駆動されると、空気は前記流動調節装置の前方上側に排出されることを特徴とする、空気清浄機。
【請求項２】
前記流動調節装置には、
前記流動調節装置の第１方向回転又は第２方向回転をガイドするガイド機構が備えられてなる、請求項１に記載の空気清浄機。
【請求項３】
前記第１方向回転は、
軸方向を基準として、時計方向又は反時計方向への回転であることを特徴とする、請求項２に記載の空気清浄機。
【請求項４】
前記第２方向回転は、
上方又は下方への回転であることを特徴とする、請求項２に記載の空気清浄機。
【請求項５】
前記ガイド機構には、
前記第１方向回転をガイドする第１ガイド機構が備えられてなる、請求項２に記載の空気清浄機。
【請求項６】
前記メインファンの出口側に配置され、第１空気流路を形成する第３エアガイド装置がさらに備えられてなる、請求項５に記載の空気清浄機。
【請求項７】
前記第３エアガイド装置には、
前記第３エアガイド装置の外周面を形成する外壁と、
前記外壁の内側に位置して前記第３エアガイド装置の内周面を形成する内壁とが備えられてなり、
前記第１空気流路は、前記外壁の内周面と前記内壁の外周面との間に形成される、請求項６に記載の空気清浄機。
【請求項８】
前記第１ガイド機構には、
両方向の回転が可能な第１ギアモータと、
前記第１ギアモータに連結されて回転し、第１ギア軸を有する第１ギアとが備えられてなる、請求項６に記載の空気清浄機。
【請求項９】
前記第３エアガイド装置には、
前記第１ギアに連動し、円周方向にラウンド状に延びる第１ラックが備えられてなる、請求項８に記載の空気清浄機。
【請求項１０】
前記第１ガイド機構には、
前記流動調節装置の第１方向回転の中心を形成する回転軸がさらに備えられてなり、
前記第１ギアは、前記回転軸を中心に設定された回転半径を有して回転することを特徴とする、請求項８に記載の空気清浄機。
【請求項１１】
前記第３エアガイド装置の出口側に配置され、前記第１空気流路を通過した空気が流動する吐出流路を形成する第２吐出ガイド装置がさらに備えられてなる、請求項６に記載の空気清浄機。
【請求項１２】
前記第２吐出ガイド装置には、
前記第２吐出ガイド装置の外周面を形成する吐出外壁と、
前記吐出外壁の内側に位置して前記第２吐出ガイド装置の内周面を形成する吐出内壁とが備えられてなり、
前記吐出流路は、前記吐出外壁の内周面と前記吐出内壁の外周面との間に形成される、請求項１１に記載の空気清浄機。
【請求項１３】
前記第１ガイド機構には、
前記流動調節装置の第１方向回転をガイドするベアリングが備えられてなり、
前記ベアリングには、
前記第２吐出ガイド装置のベアリング溝に沿って移動する第１ベアリングと、
前記第２吐出ガイド装置の内周面に沿って移動する第２ベアリングとが備えられてなる、請求項５に記載の空気清浄機。
【請求項１４】
前記ガイド機構には、
前記第２方向回転をガイドする第２ガイド機構が備えられてなる、請求項２に記載の空気清浄機。
【請求項１５】
前記第２ガイド機構には、
両方向の回転が可能な第２ギアモータと、
前記第２ギアモータに連結されて回転する第２ギアとが備えられてなる、請求項１４に記載の空気清浄機。
【請求項１６】
前記第２ガイド機構には、
上下方向に回転可能に備えられる回転ガイド部材と、
前記回転ガイド部材の下側を支持する第１ガイド面を有する固定ガイド部材とが備えられてなる、請求項１４に記載の空気清浄機。
【請求項１７】
前記固定ガイド部材には、
前記回転ガイド部材に接触可能に備えられて、前記回転ガイド部材の回転運動時に発生する摩擦力を低減させることができる第１ガイドベアリングがさらに備えられてなる、請求項１６に記載の空気清浄機。
【請求項１８】
前記固定ガイド部材には、
前記第２ギアを挿入可能な第２ギア挿入部がさらに備えられてなり、
前記第２ギアは、前記第１ガイド面から、前記第２ギア挿入部を貫通して上方に延びる、請求項１６に記載の空気清浄機。
【請求項１９】
前記第１位置は、前記流動調節装置の上面が軸方向に対して垂直に配置された位置であり、
前記第２位置は、前記流動調節装置の上面が軸方向を基準として傾斜して立てられた位置であることを特徴とする、請求項１に記載の空気清浄機。
【請求項２０】
前記流動調節装置には、
運転情報を表示するディスプレイ装置が備えられてなる、請求項１に記載の空気清浄機。
【発明の詳細な説明】
【技術分野】
【０００１】
本発明は、空気清浄機に関する。
【背景技術】
【０００２】
空気清浄機は、汚染された空気を吸い込んで浄化した後、浄化した空気を排出させる装置として理解される。一例として、空気清浄機には、外部の空気を空気清浄機の内部に流入させるための送風装置、及び空気中の塵埃や細菌などをろ過できるフィルターが含まれ得る。
【０００３】
一般に、空気清浄機は、家庭や事務室のような室内空間を浄化するように構成される。従来の空気清浄機によれば、その容量が制限されて室内空間全体の空気を浄化させることが制限されるという問題があった。したがって、前記空気清浄機の周辺の空気は浄化できる反面、前記空気清浄機から遠く離れた空間の空気は浄化することが難しいという問題があった。
【０００４】
これを解決するために、空気清浄機に備えられるファンの性能を改善させる努力があったが、ファンの送風量が大きくなるほど、ファンから発生する騒音が大きくなってしまい、製品に対する信頼性が低下するという問題があった。
【０００５】
結局、空気清浄機の制限された容量によって、使用者は、空気清浄機を移動させながら、所望の空間の空気を浄化させなければならないという不便さがあった。
【０００６】
従来の空気清浄機に関連して、本出願人は、以下のような先行文献を開示している。
【０００７】
１．公開番号（公開日）：ＫＲ１０−２０１２−００７１９９２（２０１２年７月３日）
【０００８】
２．発明の名称：空気清浄機
【０００９】
前記先行文献によれば、空気清浄機の本体は、略直方体形状のケースの内部に、ファンとフィルターのような空気清浄部品が設けられる。そして、空気吸込口は、空気清浄機の本体の側方部及び下部に形成され、空気吐出口は、本体の上部に形成される。
【００１０】
このような構成によれば、空気清浄機を基準として、制限された方向、すなわち、側方及び下方から汚染された空気が吸い込まれるため、吸込容量が少なくなるという問題があった。そして、直方体形状を有するケースの角部は、空気の吸い込みを妨げる構造的な抵抗として作用するようになる。
【００１１】
また、前記空気清浄機の内部で浄化された空気は、一方向、すなわち、上方にのみ吐出されることによって、空気清浄機の周辺の空気は浄化できる反面、前記空気清浄機から遠く離れた空間までは前記浄化された空気を流動させることができないため、空気清浄機能が制限されるという問題があった。
【００１２】
また、前記空気清浄機の本体の内部には一つの送風ファンのみが提供されることによって、送風容量が制限されるという問題があった。
【発明の概要】
【発明が解決しようとする課題】
【００１３】
本実施例は、上記の問題点を解決するために、空気清浄機に吸い込まれる空気の吸込容量を改善することができる空気清浄機を提供することを目的とする。
【００１４】
特に、空気清浄機の円周方向から空気清浄機の内部に向かう吸込流路、及び空気清浄機の上部及び下部を介して流入する吸込流路が含まれることで、室内にいる者が座っていたり、立っていても、その周辺の空気を十分に吸い込むことができる空気清浄機を提供することを目的とする。
【００１５】
また、本実施例は、空気清浄機から吐出される空気が様々な方向に吐出され、且つ、遠い距離まで到達できるようにする空気清浄機を提供することを目的とする。特に、空気清浄機を中心に上方、前方及び左右方向に向かって吐出気流が容易に発生して、室内にいる者が座っていたり、立っていても、その周辺空間に向かって空気を容易に吐出することができる空気清浄機を提供することを目的とする。
【００１６】
また、空気清浄機の運転情報を外部に容易に表示できるディスプレイ装置が備えられる空気清浄機を提供することを目的とする。
【００１７】
また、前記ディスプレイ装置が回転可能な流動調節装置に備えられるようにして、流動調節装置の回転した位置に関係なく空気清浄機の運転情報を容易に確認できる空気清浄機を提供することを目的とする。
【００１８】
また、送風容量が増加した空気清浄機を提供することを目的とする。
【００１９】
また、送風容量を増加させるために遠心ファンを採用する場合、前記遠心ファンを通過した空気が吐出部に向かって上方に容易に流動できるようにエアガイド装置が備えられる空気清浄機を提供することを目的とする。
【００２０】
また、本実施例は、フィルターの浄化能力を改善し、フィルターの交換が容易な空気清浄機を提供することを目的とする。
【００２１】
また、フィルターを空気清浄機の内部に設置するための設置空間を別途に設けなくても、フィルターの設置が容易な空気清浄機を提供することを目的とする。
【課題を解決するための手段】
【００２２】
本発明の実施例に係る空気清浄機には、空気流動を発生させるメインファン及び空気を浄化するフィルター部材が備えられる空気清浄モジュールと；前記空気清浄モジュールの一側に動き可能に提供され、サブファンが備えられて前記空気清浄モジュールを通過した空気の流動方向を調節する流動調節装置とが含まれ、前記流動調節装置が第１位置にあるとき、前記サブファンが駆動されると、空気は前記流動調節装置の上方に排出され、前記流動調節装置が第２位置にあるとき、前記サブファンが駆動されると、空気は前記流動調節装置の前方上側に排出されることを特徴とする。
【発明の効果】
【００２３】
本実施例によれば、円筒状のケースの外周面に沿って吸込部が形成されるので、吸込容量を改善することができ、空気の吸込過程でケースの構造的な抵抗が発生しないという効果がある。
【００２４】
特に、前記吸込部には多数の通孔が含まれ、前記多数の通孔は、ケースの外周面全体にわたって均一に形成できるので、空気清浄機を基準として３６０°方向において、前記空気清浄機の内部に向かう吸込流路を形成できるようになる。結局、空気の吸込面積が増加し得、室内にいる者が座っていたり、立っていても、その周辺の空気を十分に吸い込むことができるという効果が奏される。
【００２５】
そして、前記吸込部には、第１ケースに備えられる第１吸込部、第２ケースに備えられる第２吸込部及びベース側に備えられる第３吸込部が含まれることで、ケースの下部から上部に至るまで軸方向に長く形成され得る。したがって、空気清浄機を基準として、室内空間の下部に存在する空気と、相対的に高い位置に存在する室内空間の空気とが前記空気清浄機に吸い込まれ得るので、室内空間の吸込容量を増加させることができる。
【００２６】
また、第２送風装置を通じて空気の上方吐出がガイドされ、前記第２送風装置の上側に備えられる流動調節装置によって空気の前方吐出がガイドされ得る。そして、前記流動調節装置が回転する過程で、空気の左右方向への吐出がガイドされ得る。結局、空気清浄機を基準として様々な方向に空気の吐出がガイドされ、空気清浄機から遠い距離まで吐出気流を形成できるので、室内空間の空気清浄機能を改善することができる。そして、室内にいる者が座っていたり、立っていても、その周辺空間に向かって吐出気流を容易に発生させることができるという利点がある。
【００２７】
また、流動調節装置には、左右方向の回転をガイドする第１ガイド機構、及び上下方向の回転をガイドする第２ガイド機構が備えられるので、前記流動調節装置は、前記第２ガイド機構の作動によって横になっている第１位置又は立てられている第２位置にある状態で、前記第１ガイド機構の作動によって左右方向に回転しながら吐出気流を調節できるという利点がある。
【００２８】
また、前記流動調節装置には第３ファンが備えられるので、第２送風装置を介して流動する空気に前記第３ファンによる流動力を加えて空気を吐出させることができる。したがって、強い吐出気流が発生できるので、空気清浄機から遠く離れた位置まで気流が到達し得るという効果が奏される。
【００２９】
また、前記第１ガイド機構又は前記第２ガイド機構には、それぞれギアモータ及びギアが含まれるので、流動調節装置の上下方向の回転又は左右方向の回転を容易に行うことができるという利点がある。
【００３０】
また、前記流動調節装置の上部にディスプレイ装置が備えられることで、空気清浄機の運転情報を外部から容易に認識できるという効果が奏される。特に、流動調節装置が軸方向を基準として傾斜して立てられた状態（第２位置）にある場合は勿論、横になっている状態（第１位置）にあっても、ディスプレイ装置が外部に良好に露出されて空気清浄機の運転情報を容易に確認できるという利点がある。
【００３１】
また、流動調節装置には吐出グリルが備えられ、前記吐出グリルの中心部には凹部が備えられることでディスプレイ装置を設置することができ、前記凹部の周縁に沿って空気が排出される吐出部を形成できるので、空気清浄機の空間活用性を改善することができる。そして、前記ディスプレイ装置によって前記吐出部を介して排出される空気流動に妨害が発生することを防止することができる。
【００３２】
また、ディスプレイ装置には、ＰＣＢアセンブリ、すなわち、第１照明源が備えられるディスプレイＰＣＢ及び前記ディスプレイＰＣＢに結合されるリフレクタが備えられることで、空気清浄機の運転に関する様々な文字、数字または記号に関する形状を容易に具現できるという利点がある。
【００３３】
また、前記ディスプレイＰＣＢの底面に第２照明源が備えられ、前記ディスプレイＰＣＢの下側には前記照明源を収容する照明収容部を有する拡散板が備えられるので、前記照明源から照射される光が前記拡散板を介して屈折してディスプレイ装置の前面枠部に容易に移動することができる。結局、ディスプレイ装置を介して表示される情報に対する視覚的な強調効果を得ることができ、これによって、多少遠い距離からも前記情報を容易に確認できるという利点がある。
【００３４】
また、多数の送風装置が提供されるので、空気清浄機の送風容量を改善することができるという利点がある。
【００３５】
また、空気清浄機の送風容量を増加させるための遠心ファン、及び前記遠心ファンの出口側に配置されるエアガイド装置が備えられるので、遠心ファンを通過して半径方向に流動する空気が吐出部に向かって上方に容易にガイドされ得る。
【００３６】
また、前記第１及び第２送風装置を通じて互いに独立した空気流動が発生して、空気流動の相互間に互いに邪魔になる現象を防止することができ、これによって、空気流動性が改善される効果が奏される。
【００３７】
また、フィルター部材は円筒状に備えられることで、空気がフィルター部材の外側の全方向からフィルター部材の内部に流入し得るので、吸込面積が増大することができ、これによって、フィルターの空気清浄能力を改善することができるという利点がある。
【００３８】
また、フィルター部材は、フィルターフレームに向かって半径方向にスライドされ得るので、前記フィルター部材の結合又は分離が容易であるという利点がある。
【００３９】
また、送風ファンには、空気を軸方向に吸い込んで半径方向に吐出するターボファンが含まれるので、風量を増加させることができるという利点がある。
【図面の簡単な説明】
【００４０】
【図１】本発明の実施例に係る空気清浄機の外観を示す斜視図である。
【図２】本発明の実施例に係る空気清浄機の内部構成を示す斜視図である。
【図３】図２のＩＩＩ−ＩＩＩ’に沿って切断した断面図である。
【図４】本発明の実施例に係る第２送風装置の構成を示す分解斜視図である。
【図５】本発明の実施例に係る第３エアガイド装置及び第２吐出ガイド装置の構成を示す分解斜視図である。
【図６】本発明の実施例に係る流動調節装置及び該流動調節装置が結合される部品の構成を示す分解斜視図である。
【図７】本発明の実施例に係る流動調節装置の構成を示す斜視図である。
【図８】本発明の実施例に係る第３エアガイド装置及び第２吐出ガイド装置の結合状態を示す図である。
【図９】本発明の実施例に係る流動調節装置の左右方向の回転のために第１ガイド機構が作用する様子を示す図である。
【図１０】本発明の実施例に係る流動調節装置の構成を示す断面図である。
【図１１】本発明の実施例に係る流動調節装置の構成を示す分解斜視図である。
【図１２】本発明の実施例に係る流動調節装置の駆動部及び固定部の構成を示す分解斜視図である。
【図１３】本発明の実施例に係る流動調節装置に備えられる第２ラック及び第２ギアが連動する様子を示す図である。
【図１４】本発明の実施例に係る流動調節装置が第２位置にある様子を示す図である。
【図１５】本発明の実施例に係る流動調節装置が第２位置にある様子を示す図である。
【図１６】図１４の流動調節装置がＡ方向に回転した様子を示す図である。
【図１７】本発明の実施例に係る吐出グリルに結合されるディスプレイ装置の構成を示す分解斜視図である。
【図１８】本発明の実施例に係る吐出グリルにＰＣＢアセンブリが結合される様子を示す図である。
【図１９】本発明の実施例に係るＰＣＢアセンブリの構成を示す分解斜視図である。
【図２０】本発明の実施例に係るディスプレイ装置の上面の構成を示す図である。
【図２１】本発明の実施例に係るＰＣＢアセンブリの底面の構成を示す図である。
【図２２−２４】本発明の実施例に係る空気清浄機での空気流動の様子を示す図である。
【発明を実施するための形態】
【００４１】
以下、本発明の一部の実施例を例示的な図面を参照して詳細に説明する。各図面の構成要素に参照符号を付加するにおいて、同一の構成要素に対しては、たとえ他の図面上に表示されても、可能な限り同一の符号を有するようにしていることに留意しなければならない。また、本発明の実施例を説明するにあたって、かかる公知の構成又は機能についての具体的な説明が本発明の実施例に対する理解を妨げると判断される場合には、その詳細な説明は省略する。
【００４２】
また、本発明の実施例の構成要素を説明するにあたって、第１、第２、Ａ、Ｂ、（ａ）、（ｂ）などの用語を使用することができる。このような用語は、その構成要素を他の構成要素と区別するためのものに過ぎず、その用語によって当該構成要素の本質や順番又は順序などが限定されるものではない。ある構成要素が他の構成要素に「連結」、「結合」又は「接続」されると記載された場合、その構成要素は、その他の構成要素に直接的に連結又は接続されてもよいが、各構成要素の間にまた他の構成要素が「連結」、「結合」又は「接続」されてもよいと理解されるべきである。
【００４３】
図１は、本発明の実施例に係る空気清浄機の外観を示す斜視図である。
【００４４】
図１を参照すると、本発明の実施例に係る空気清浄機１０には、空気流動を発生させる送風装置１００，２００、及び前記送風装置１００，２００から発生した空気流動の吐出方向を切り替える流動調節装置３００が含まれる。前記送風装置１００，２００には、第１空気流動を発生させる第１送風装置１００、及び第２空気流動を発生させる第２送風装置２００が含まれる。
【００４５】
前記第１送風装置１００と第２送風装置２００は上下方向に配列することができる。一例として、前記第２送風装置２００は、前記第１送風装置１００の上側に配置されてもよい。この場合、前記第１空気流動は、前記空気清浄機１０の下部側に存在する室内空気を吸い込む流動を形成し、前記第２空気流動は、前記空気清浄機１０の上部側に存在する室内空気を吸い込む流動を形成する。
【００４６】
前記空気清浄機１０には、外観を形成するケース１０１，２０１が含まれる。
【００４７】
詳しくは、前記ケース１０１，２０１には、前記第１送風装置１００の外観を形成する第１ケース１０１が含まれる。前記第１ケース１０１は円筒状を有することができる。そして、前記第１ケース１０１の上部は下部よりも小さい直径を有するように構成することができる。すなわち、前記第１ケース１０１は、先端部が切り取られた円錐形の形状を有することができる。
【００４８】
前記第１及び第２送風装置１００，２００は、清浄空間の空気を浄化させる機能を行う点から、それぞれ、「第１空気清浄モジュール１００」及び「第２空気清浄モジュール２００」と命名することができる。そして、前記第１送風装置１００は、前記空気清浄機１０の下部に配置される点から、「下部空気清浄モジュール」又は「下部モジュール」と命名することができ、前記第２送風装置２００は、前記空気清浄機１０の上部に配置される点から、「上部空気清浄モジュール」又は「上部モジュール」と命名することができる。そして、前記流動調節装置３００を流動調節モジュール３００と命名することができる。
【００４９】
前記第１ケース１０１には、前記第１ケース１０１を構成する２つのパートが結合又は分離される第１分離部１０１ａが含まれる。そして、前記第１ケース１０１には、前記第１分離部１０１ａの対向側に備えられるヒンジ部がさらに含まれる。前記２つのパートは、前記ヒンジ部を中心に相対回転することができる。
【００５０】
前記２つのパートのうちの少なくともいずれか一方のパートが回転すると、前記第１ケース１０１は開放され、前記空気清浄機１０から分離され得る。前記２つのパートが結合される部分、すなわち、前記ヒンジ部の対向側には、係止装置を備えることができる。前記係止装置には、係止突起又は磁石部材が含まれてもよい。前記第１ケース１０１を開放して、前記第１送風装置１００の内部部品を交換又は修理することができる。
【００５１】
前記第１ケース１０１には、空気が吸い込まれる第１吸込部１０２が形成される。前記第１吸込部１０２は、前記第１ケース１０１の少なくとも一部分が貫通して形成される貫通孔を含む。前記第１吸込部１０２は多数個形成される。
【００５２】
前記多数の第１吸込部１０２は、前記第１ケース１０１を基準にしてどの方向からも空気の吸い込みが可能なように、前記第１ケース１０１の外周面に沿って円周方向に均一に形成される。すなわち、前記第１ケース１０１の内部中心を通る上下方向の中心線を基準として、３６０°方向から空気を吸い込むことができる。
【００５３】
このように、前記第１ケース１０１が円筒状に構成され、前記第１吸込部１０２が前記第１ケース１０１の外周面に沿って多数個形成されることによって、空気の吸込量が増加し得る。そして、従来の空気清浄機のケースのように、角部を有する六面体形状を回避することによって、吸い込まれる空気に対する流動抵抗を減少させることができるという効果が奏される。
【００５４】
前記第１吸込部１０２を介して吸い込まれる空気は、前記第１ケース１０１の外周面から略半径方向に流動することができる。方向を定義する。図１を基準として、上下方向を軸方向といい、横方向を半径方向という。前記軸方向は、後述する第１ファン１６０及び第２ファン２６０の中心軸方向、すなわち、ファンのモータ軸方向に対応することができる。そして、前記半径方向は、前記軸方向の垂直な方向として理解することができる。
【００５５】
そして、円周方向とは、前記軸方向を中心とし、前記半径方向の距離を回転半径として回転するときに形成される仮想の円方向として理解される。
【００５６】
前記第１送風装置１００には、前記第１ケース１０１の下側に提供され、地面に載置されるベース２０がさらに含まれる。前記ベース２０は、前記第１ケース１０１の下端部から下方に離隔して位置する。そして、前記第１ケース１０１と前記ベース２０との間の離隔空間には、ベース吸込部１０３が形成される。
【００５７】
前記ベース吸込部１０３を介して吸い込まれる空気は、前記ベース２０の上側に備えられる吸込グリル１１０（図２参照）の吸込口１１２を介して上方に流動することができる。
【００５８】
すなわち、前記第１送風装置１００には複数の吸込部１０２，１０３が含まれる。室内空間の下部に存在する空気は、前記複数の吸込部１０２，１０３を介して前記第１送風装置１００に容易に流入することができる。したがって、空気の吸込量が増加することができる。
【００５９】
前記第１送風装置１００の上部には第１吐出部１０５が形成される。前記第１吐出部１０５は、前記第１送風装置１００に備えられる第１吐出ガイド装置１９０（図２参照）の第１吐出グリル１９５に形成され得る。前記第１吐出ガイド装置１９０は、前記第１送風装置１００の上端部の外観を形成する。前記第１吐出部１０５を介して排出される空気は、軸方向の上方に流動することができる。
【００６０】
前記ケース１０１，２０１には、前記第２送風装置２００の外観を形成する第２ケース２０１が含まれる。前記第２ケース２０１は円筒状を有することができる。そして、前記第２ケース２０１の上部は下部よりも小さい直径を有するように構成することができる。すなわち、前記第２ケース２０１は、先端部が切り取られた円錐形の形状を有することができる。
【００６１】
前記第２ケース２０１には、第２分離部２０１ａを通じて分離又は結合できる２つのパート及びヒンジ部が含まれる。前記第２ケース２０１は、前記第１ケース１０１と同様に開放可能に構成することができる。詳細な説明は、前記第１ケース１０１に関する説明を援用する。前記第２ケース２０１を開放して、前記第２送風装置２００の内部部品を交換又は修理することができる。
【００６２】
前記第２ケース２０１の下端部の直径は、前記第１ケース１０１の上端部の直径よりも小さく形成することができる。したがって、前記ケース１０１，２０１の全体的な形状の観点で、ケース１０１，２０１の下部断面積は上部断面積よりも大きく形成され、これによって、前記空気清浄機１０は地面に安定的に支持され得る。
【００６３】
前記第２ケース２０１には、空気が吸い込まれる第２吸込部２０２が形成される。前記第２吸込部２０２は、前記第２ケース２０１の少なくとも一部分が貫通して形成される貫通孔を含む。前記第２吸込部２０２は多数個形成される。
【００６４】
前記多数の第２吸込部２０２は、前記第２ケース２０１を基準にしてどの方向からも空気の吸い込みが可能なように、前記第２ケース２０１の外周面に沿って円周方向に均一に形成される。すなわち、前記第２ケース２０１の内部中心を通る上下方向の中心線を基準として、３６０°方向から空気を吸い込むことができる。
【００６５】
このように、前記第２ケース２０１が円筒状に構成され、前記第２吸込部２０２が前記第２ケース２０１の外周面に沿って多数個形成されることによって、空気の吸込量が増加し得る。そして、従来の空気清浄機のケースのように、角部を有する六面体形状を回避することによって、吸い込まれる空気に対する流動抵抗を減少させることができるという効果が奏される。
【００６６】
前記第２吸込部２０２を介して吸い込まれる空気は、前記第２ケース２０１の外周面から略半径方向に流動することができる。
【００６７】
前記空気清浄機１０には、前記第１送風装置１００と前記第２送風装置２００との間に備えられる仕切り装置４００が含まれる。前記仕切り装置４００によって、前記第２送風装置２００は、前記第１送風装置１００の上側に離隔して位置することができる。前記仕切り装置４００に関連する説明は、図面を参照して後述する。
【００６８】
前記流動調節装置３００は、前記第２送風装置２００の上側に設置することができる。空気流動を基準として、前記第２送風装置２００の空気流路は、前記流動調節装置３００の空気流路に連通することができる。前記第２送風装置２００を通過した空気は、前記流動調節装置３００の空気流路を経由し、第２吐出部３０５を介して外部に排出され得る。前記第２吐出部３０５は、前記流動調節装置３００の上端部に形成される。
【００６９】
前記流動調節装置３００は動き可能に備えることができる。詳細には、前記流動調節装置３００は、図１に示されるように、横になっている状態（第１位置）にあるか、または図２４に示されるように、傾斜して立てられた状態（第２位置）にあってもよい。これに関連する説明は後述する。
【００７０】
そして、前記流動調節装置３００の上部には、空気清浄機１０の運転情報を表示するディスプレイ装置６００が備えられる。前記ディスプレイ装置６００は、前記流動調節装置３００と共に動くことができる。
【００７１】
図２は、本発明の実施例に係る空気清浄機の内部構成を示す斜視図であり、図３は、図２のＩＩＩ−ＩＩＩ’に沿って切断した断面図である。
【００７２】
図２及び図３を参照すると、本発明の実施例に係る第１送風装置１００には、ベース２０、及び前記ベース２０の上側に配置される吸込グリル１１０が含まれる。
【００７３】
前記ベース２０には、地面に載置されるベース本体２１、及び前記ベース本体２１から上方に突出して前記吸込グリル１１０が載置されるベース突出部２２が含まれる。前記ベース突出部２２は前記ベース２０の両側に備えることができる。
【００７４】
前記ベース突出部２２によって、前記ベース本体２１と前記吸込グリル１１０は互いに離隔する。前記ベース２０と前記吸込グリル１１０との間には、空気の吸込空間を形成するベース吸込部１０３が含まれる。
【００７５】
前記吸込グリル１１０には、略リング状のグリル本体１１１、及び前記グリル本体１１１の外周面から上方に突出する枠部が含まれる。前記グリル本体１１１及び枠部の構成によって、前記吸込グリル１１０は段差を有する構成を有することができる。
【００７６】
前記吸込グリル１１０には、前記枠部に形成される吸込部１１２が含まれる。前記吸込部１１２は、前記枠部の周縁に沿って上方に突出するように構成し、円周方向に延びるように構成することができる。そして、前記吸込部１１２の内部には多数個の吸込孔１１２ａが形成される。前記多数個の吸込孔１１２ａは前記ベース吸込部１０３に連通することができる。
【００７７】
前記多数個の吸込孔１１２ａ及び前記ベース吸込部１０３を介して吸い込まれた空気は、第１フィルター部材１２０を通過することができる。前記第１フィルター部材１２０は、円筒状に備えられ、空気をろ過するフィルター面を有することができる。前記多数個の吸込孔１１２ａを通過した空気は、円筒状の第１フィルター部材１２０の外周面を貫通してその内部に流入することができる。
【００７８】
前記第１送風装置１００には、前記第１フィルター部材１２０の装着空間を形成する第１フィルターフレーム１３０がさらに含まれる。詳細には、前記第１フィルターフレーム１３０には、前記第１フィルターフレーム１３０の下部を形成する第１フレーム１３１、及び前記第１フィルターフレーム１３０の上部を形成する第２フレーム１３２が含まれる。
【００７９】
前記第１フィルターフレーム１３０には、前記第１フレーム１３１から前記第２フレーム１３２に向かって上方に延びる第１フィルター支持部１３５がさらに含まれる。前記第１フィルター支持部１３５によって、前記第１及び第２フレーム１３１，１３２は互いに離隔し得る。前記第１フィルター支持部１３５は多数個提供され、前記多数個の第１フィルター支持部１３５は、円周方向に配列されて前記第１及び第２フレーム１３１，１３２の周縁部に連結され得る。
【００８０】
前記第１及び第２フレーム１３１，１３２及び前記多数の第１フィルター支持部１３５によって、前記第１フィルター部材１２０の装着空間が規定される。そして、前記第１フィルター支持部１３５の外側には第１支持部カバー１３６を結合することができる。
【００８１】
前記第１フィルターフレーム１３０にはセンサ装置１３７を設置することができる。前記センサ装置１３７には、空気中の塵埃の量を感知する塵埃センサ、及び空気中のガスの量を感知するガスセンサが含まれ得る。前記塵埃センサ及びガスセンサは、前記第１フィルターフレーム１３０の第２フレーム１３２に支持されるように配置することができる。
【００８２】
前記装着空間には、前記第１フィルター部材１２０を分離可能に装着することができる。前記第１フィルター部材１２０は円筒状の形状を有し、前記第１フィルター部材１２０の外周面を介して空気が流入することができる。前記第１フィルター部材１２０を通過する過程で、空気中の微細塵埃のような不純物がろ過され得る。
【００８３】
前記第１フィルター部材１２０が円筒状の形状を有することによって、前記第１フィルター部材１２０を基準として、どの方向からも空気の流入が可能である。したがって、空気のフィルタリング面積が増加し得る。
【００８４】
前記装着空間は、前記第１フィルター部材１２０の形状に対応して円筒状に備えることができる。前記第１フィルター部材１２０は、装着過程で、前記装着空間に向かってスライド可能に引き込まれ得る。反対に、前記第１フィルター部材１２０は、分離過程で、前記装着空間からスライド可能に引き出され得る。
【００８５】
前記第１送風装置１００には、前記第１フィルター部材１２０の出口側に設置される第１ファンハウジング１５０がさらに含まれる。前記第１ファンハウジング１５０には、第１ファン１６０が収容されるハウジング空間部１５２が形成される。そして、前記第１ファンハウジング１５０は前記第１フィルターフレーム１３０によって支持され得る。
【００８６】
前記第１ファンハウジング１５０の下部には、前記第１ファンハウジング１５０の内部に空気の流入をガイドする第１ファン流入部１５１が含まれる。前記第１ファン流入部１５１にはグリルが提供されることで、前記第１フィルター部材１２０が分離されたとき、使用者が前記第１ファンハウジング１５０の内部に指などを入れることを防止することができる。
【００８７】
前記第１送風装置１００には、空気中の臭い粒子を除去又は殺菌するためのイオナイザがさらに含まれる。前記イオナイザは、前記第１ファンハウジング１５０に結合され、前記第１ファンハウジング１５０の内部を流動する空気に作用することができる。
【００８８】
前記センサ装置１３７及び前記イオナイザは、後述する第２送風装置２００にも設置することができる。他の例として、前記センサ装置１３７及び前記イオナイザは、前記第１送風装置１００及び第２送風装置２００のうちの１つの送風装置に設置されてもよい。
【００８９】
前記第１ファン１６０は、前記第１ファン流入部１５１の上側に載置される。一例として、前記第１ファン１６０には、軸方向に空気を流入して半径方向上側に空気を排出させる遠心ファンが含まれる。
【００９０】
詳細には、前記第１ファン１６０には、遠心ファンモータである第１ファンモータ１６５の回転軸１６５ａが結合されるハブ１６１、前記ハブ１６１と離隔して配置されるシュラウド１６２、及び前記ハブ１６１と前記シュラウド１６２との間に配置される多数のブレード１６３が含まれる。前記第１ファンモータ１６５は前記第１ファン１６０の上側に結合され得る。
【００９１】
前記ハブ１６１は、下方に行くほど直径が小さくなるボウル（ｂｏｗｌ）形状を有することができる。そして、前記ハブ１６１には、前記回転軸１６５ａが結合される軸結合部、及び前記軸結合部から上方に向かって傾斜して延びる第１ブレード結合部が含まれる。
【００９２】
前記シュラウド１６２には、前記第１ファン流入部１５１を通過した空気が吸い込まれるシュラウド吸込口が形成される下端部、及び前記下端部から上方に向かって延びる第２ブレード結合部が含まれる。
【００９３】
前記ブレード１６３の一面は前記ハブ１６１の第１ブレード結合部に結合され、他面は前記シュラウド１６２の第２ブレード結合部に結合され得る。そして、前記多数のブレード１６３は、前記ハブ１６１の円周方向に離隔して配置され得る。
【００９４】
前記第１送風装置１００には、前記第１ファン１６０の上側に結合されて前記第１ファン１６０を通過した空気の流動をガイドする第１エアガイド装置１７０がさらに含まれる。
【００９５】
前記第１エアガイド装置１７０には、円筒状の形状を有する外壁１７１、及び前記外壁１７１の内側に位置し、円筒状の形状を有する内壁１７２が含まれる。前記外壁１７１は、前記内壁１７２を取り囲むように配置される。前記外壁１７１の内周面と、前記内壁１７２の外周面との間には、空気が流動する第１空気流路が形成される。
【００９６】
前記第１エアガイド装置１７０には、前記第１空気流路に配置されるガイドリブ１７５が含まれる。前記ガイドリブ１７５は、前記内壁１７２の外周面から前記外壁１７１の内周面に延びる。前記ガイドリブ１７５は、多数個が離隔して配置されてもよい。前記多数のガイドリブ１７５は、前記第１ファン１６０を経て前記第１エアガイド装置１７０の第１空気流路に流入した空気を上方に案内する機能を行う。
【００９７】
前記ガイドリブ１７５は、前記外壁１７１及び内壁１７２の下部から上方に向かって傾斜して延びることができる。一例として、前記ガイドリブ１７５は、ラウンド状に形成されて、空気が上方に傾斜して流動できるようにガイドする。
【００９８】
前記第１エアガイド装置１７０には、前記内壁１７２から下方に延びて前記第１ファンモータ１６５を収容するモータ収容部１７３がさらに含まれる。前記モータ収容部１７３は、下部に行くほど直径が小さくなるボウル（ｂｏｗｌ）形状を有することができる。前記モータ収容部１７３の形状は、前記ハブ１６１の形状に対応することができる。そして、前記モータ収容部１７３は前記ハブ１６１の内側に挿入され得る。
【００９９】
前記第１ファンモータ１６５は、前記モータ収容部１７３の上側に支持され得る。そして、前記第１ファンモータ１６５の回転軸１６５ａは、前記第１ファンモータ１６５から下方に延び、前記モータ収容部１７３の底面部を貫通して前記ハブ１６１の軸結合部に結合され得る。
【０１００】
前記第１送風装置１００には、前記第１エアガイド装置１７０の上側に結合され、前記第１エアガイド装置１７０を通過した空気を第１吐出ガイド装置１９０にガイドする第２エアガイド装置１８０がさらに含まれる。
【０１０１】
前記第２エアガイド装置１８０には、略円筒状の形状を有する第１ガイド壁１８１、及び前記第１ガイド壁１８１の内側に位置し、略円筒状の形状を有する第２ガイド壁１８２が含まれる。前記第１ガイド壁１８１は、前記第２ガイド壁１８２を取り囲むように配置することができる。
【０１０２】
前記第１ガイド壁１８１の内周面と前記第２ガイド壁１８２の外周面との間には、空気が流動する第２空気流路が形成される。前記第１エアガイド装置１７０の第１空気流路を流動する空気は、前記第２空気流路を経て通過して上方に流動する。前記第２空気流路を「吐出流路」と呼ぶことができる。そして、前記第２空気流路の上側には第１吐出部１０５が配置される。
【０１０３】
円筒状の形状を有する第２ガイド壁１８２の内側には、ＰＣＢ装置５００の少なくとも一部分を収容するために上下方向に貫通する第１空間部が形成される。前記ＰＣＢ装置には、電源供給部５２０及びメインＰＣＢ５１１が含まれる。
【０１０４】
前記電源供給部５２０は、空気清浄機１０に接続される電源線から供給される商用電源が印加されて、前記メインＰＣＢ５１１及び空気清浄機１０内の多数の部品に電源を供給する装置として理解される。前記電源供給部５２０には、ＡＣ電源用ＰＣＢ（パワーＰＣＢ）が含まれ得る。
【０１０５】
前記メインＰＣＢ５１１には、前記ＡＣ電源用ＰＣＢで変換された直流電圧によって駆動されるＤＣ電源用ＰＣＢが含まれ得る。
【０１０６】
前記ＰＣＢ装置５００には、前記電源供給部５２０及びメインＰＣＢ５１１を支持するためのＰＣＢ支持板５２５がさらに含まれる。前記メインＰＣＢ５１１は前記ＰＣＢ支持板５２５の一面に支持され、前記電源供給部５２０は前記ＰＣＢ支持板５２５の他面に支持され得る。
【０１０７】
前記ＰＣＢ装置には、空気清浄機１０が外部装置と通信できる通信モジュール５１５が含まれる。一例として、前記通信モジュール５１５にはワイファイモジュールが含まれてもよい。前記通信モジュール５１５は、前記ＰＣＢ支持板５２５に支持され、前記メインＰＣＢ５１１の下側に配置され得る。
【０１０８】
前記第１送風装置１００には、前記第２エアガイド装置１８０の上側、すなわち、空気流路を基準として、前記第２エアガイド装置１８０を通過する空気流動の出口側に配置され、空気清浄機１０の外部への空気の吐出をガイドする第１吐出ガイド装置１９０がさらに含まれる。前記第１吐出ガイド装置１９０には、空気が排出される第１吐出部１０５が形成される。
【０１０９】
前記第２送風装置２００には、第２フィルター部材２２０と、前記第２フィルター部材２２０の下部を支持する支持装置２４０と、前記支持装置２４０の下側に提供されて前記第２フィルター部材２２０及び前記支持装置２４０を支持するレバー装置２４２とが含まれる（図４参照）。
【０１１０】
前記第２送風装置には、前記第２送風装置２００の第２フィルター部材２２０又はレバー装置を支持するレバー支持装置５６０がさらに含まれる。前記レバー支持装置５６０は略環状の形状を有する。前記レバー支持装置５６０には、前記ＰＣＢ装置５００が位置できる設置空間を定義する第３空間部が含まれる。前記第３空間部は、前記レバー支持装置５６０の概ね中央部に上下方向に貫通して形成される。
【０１１１】
前記第１送風装置１００と前記第２送風装置２００との間には仕切り装置４００が備えられる。前記仕切り装置４００には、前記第１送風装置１００から発生する空気流動と、前記第２送風装置２００から発生する空気流動とを分離又は遮断するための仕切り板４３０が含まれる。前記仕切り板４３０によって、前記第１及び第２送風装置１００，２００は上下方向に離隔して配置され得る。
【０１１２】
すなわち、前記第１及び第２送風装置１００，２００の間には、前記仕切り板４３０が位置する離隔空間が形成される。前記離隔空間の下端部には、前記第１送風装置１００の第１吐出ガイド装置１９０が位置し、前記離隔空間の上端部には、前記第２送風装置２００のレバー支持装置５６０が位置することができる。
【０１１３】
前記離隔空間は、前記仕切り板４３０によって、上部空間と下部空間とに仕切ることができる。前記下部空間は、前記第１吐出ガイド装置１９０の第１吐出部１０５から排出される空気が空気清浄機１０の外部に流動する過程で経由する第１空間部４４８として理解される。そして、前記上部空間は、使用者が空気清浄機１０を移動させるときに手を入れることができる把持空間として第２空間部４５８を構成する。
【０１１４】
前記第１吐出部１０５から排出される空気は、前記仕切り板４３０によってガイドされて前記空気清浄機１０の外部に流動し、前記第２送風装置２００側に流入することを防止することができる。
【０１１５】
図４は、本発明の実施例に係る第２送風装置の構成を示す分解斜視図である。
【０１１６】
図４を参照すると、本発明の実施例に係る第２送風装置２００には、レバー支持装置５６０、レバー装置２４２、支持装置２４０、第２フィルター部材２２０、第２フィルターフレーム２３０、第２ファンハウジング２５０、及び第２ファン２６０が含まれる。
【０１１７】
前記第２フィルター部材２２０は、上部が開口された円筒形状を有することができる。前記第２フィルター部材２２０には、中空の円筒形状のフィルター部を有するフィルター本体２２１、及び前記フィルター本体２２１の上端部に開口されて形成されるフィルター孔２２２が含まれる。前記フィルター本体２２１の上部又は下部にはフィルター把持部２２１ａが備えられる。空気は、前記フィルター本体２２１の外周面を介して前記フィルター本体２２１の内側に流入し、前記フィルター孔２２２を介して前記第２フィルター部材２２０から排出され得る。前記第２フィルター部材２２０の構成は、前記第１フィルター部材１２０にも援用することができる。
【０１１８】
前記レバー支持装置５６０には、環状の形状を有するレバー支持本体５６１が含まれる。前記レバー支持本体５６１は、その内周面から外周面に向かって軸方向に対して、上方に若干傾斜して延びる。すなわち、前記レバー支持本体５６１を構成する面は傾斜面を構成する。前記傾斜面と、前記仕切り板４３０の上面との間の空間は、使用者の手が位置できる第２空間部４５８を提供する。前記レバー支持本体５６１は、前記第１送風装置１００の第１吐出部１０５を介して排出された空気が前記第２送風装置２００に流入することを遮断する点から、「遮断部」と呼ぶこともできる。
【０１１９】
前記レバー支持装置５６０には、前記レバー支持本体５６１から上方に突出する移動ガイド部５６５がさらに含まれる。前記移動ガイド部５６５は、前記レバー支持本体５６１の円周方向に多数個が離隔して配置され得る。そして、前記レバー支持装置５６０には、前記レバー支持本体５６１の内周面から上方に突出する支持段部５６６がさらに含まれる。前記支持段部５６６は、前記第２送風装置２００のレバー装置を支持する。
【０１２０】
前記レバー装置２４２は、使用者の操作が可能なように備えることができる。一例として、前記レバー装置２４２は、円周方向に回転可能なように備えることができる。詳細には、前記レバー装置２４２には、略リング状を有し、かつ、回転可能に備えられるレバー本体２４３が含まれる。そして、前記レバー本体２４３には、前記多数の移動ガイド部５６５に対応する位置に配置される多数の切開部２４５が形成される。
【０１２１】
前記多数の切開部２４５は互いに離隔して、前記レバー本体２４３の円周方向に配列される。そして、各切開部２４５は、レバー本体２４３の外周面の曲率に対応して、円周方向に所定の曲率を有するようにラウンド状に形成することができる。
【０１２２】
前記レバー装置２４２は、前記レバー支持本体５６１の上面に支持される。前記レバー装置２４２が前記レバー支持本体５６１に支持されると、前記多数個の移動ガイド部５６５は前記多数個の切開部２４５に挿入されるように配置され得る。詳細には、前記多数個の移動ガイド部５６５は、前記多数個の切開部２４５を貫通して、前記多数個の切開部２４５の上側に突出することができる。
【０１２３】
前記各切開部２４５の長さは、前記移動ガイド部５６５の長さよりも長く形成することができる。したがって、前記移動ガイド部５６５が前記切開部２４５に挿入された状態で、前記レバー装置２４２は回転することができる。そして、前記レバー装置２４２が一方向に回転する過程で、前記移動ガイド部５６５の一側端部は前記切開部２４５の一側端部に干渉し、他方向に回転する過程で、前記移動ガイド部５６５の他側端部は前記切開部２４５の他側端部に干渉し得る。前記レバー本体２４３の外周面には第２ハンドル２４４が備えられる。
【０１２４】
前記レバー装置２４２の上側には、前記第２フィルター部材２２０を支持する支持装置２４０が提供される。前記支持装置２４０には、前記第２ハンドル２４４に結合される第１ハンドル２４１が含まれる。使用者は、前記第１及び第２ハンドル２４１，２４４を把持して前記レバー本体２４３及び支持装置２４０を時計方向又は反時計方向に回転させることができる。前記レバー装置２４２は、前記支持装置２４０の下面を支持する。前記支持装置２４０には、前記移動ガイド部５６５と接触する支持突出部（図示せず）を備えることができる。前記支持突出部は、前記支持装置２４０の下面から下方に突出し、前記移動ガイド部５６５に対応する位置に備えることができる。そして、前記支持突出部の形状は、前記移動ガイド部５６５の形状に対応し、円周方向に次第に突出するように形成される傾斜面が含まれる。前記移動ガイド部５６５が次第に突出するように形成される方向と、前記支持突出部が次第に突出するように形成される方向とは互いに反対であり得る。
【０１２５】
一例として、前記移動ガイド部５６５が次第に突出するように構成される方向が反時計方向であれば、前記支持突出部が次第に突出するように構成される方向は時計方向であり得る。前記支持突出部は、前記切開部２４５と対応する位置に配置することができる。すなわち、前記移動ガイド部５６５及び前記支持突出部は、前記切開部２４５に挿入される位置に配置することができる。
【０１２６】
前記レバー装置２４２と前記支持装置２４０は共に回転することができる。この回転過程において、前記移動ガイド部５６５と前記支持突出部とは干渉し得る。詳細には、前記支持突出部の下部と前記移動ガイド部５６５の上部とが当接すると、前記レバー装置２４２と前記支持装置２４０は上方に持ち上げられる。そして、前記支持装置２４０によって支持される第１フィルター部材２２０は、上方へ移動しながら前記第１送風装置２００に結合された状態となる。
【０１２７】
その一方、前記支持突出部の上部と前記移動ガイド部５６５の下部とが当接するか、または前記支持突出部と移動ガイド部５６５との干渉が解除されると、前記レバー装置２４２と前記支持装置２４０は下方に下降する。そして、前記支持装置２４０によって支持される第１フィルター部材２２０は、前記第１送風装置１００から分離可能な状態（解除状態）となる。
【０１２８】
前記第２送風装置２００には、前記第２フィルター部材２２０の装着空間を形成する第２フィルターフレーム２３０がさらに含まれる。詳細には、前記第２フィルターフレーム２３０には、前記第２フィルターフレーム２３０の下部を形成する第１フレーム２３１、及び前記第２フィルターフレーム２３０の上部を形成する第２フレーム２３２が含まれる。
【０１２９】
前記第１フレーム２３１には、下方に凹む形状を有するフレーム凹部２３１ａが含まれる。前記フレーム凹部２３１ａは、前記第１フレーム２３１の少なくとも一部分が凹むように構成され得る。前記フレーム凹部２３１ａは、前記第１及び第２ハンドル２４１，２４４が動き得る空間部を提供する。前記第１及び第２ハンドル２４１，２４４は、前記空間部に位置して時計方向又は反時計方向に回転することができる。
【０１３０】
前記第２フレーム２３２は、前記第１フレーム２３１から上方に離隔して位置する。前記第２フレーム２３２は略リング状を有する。前記第２フレーム２３２のリング状の内部空間は、前記第２フィルターフレーム２３０を通過する空気流路の少なくとも一部分を形成する。そして、前記第２フレーム２３２の上部は第２ファンハウジング２５０を支持することができる。
【０１３１】
前記第２フィルターフレーム２３０には、前記第１フレーム２３１から前記第２フレーム２３２に向かって上方に延びる第２フィルター支持部２３５がさらに含まれる。前記第２フィルター支持部２３５によって、前記第１及び第２フレーム２３１，２３２は互いに離隔し得る。前記第２フィルター支持部２３５は多数個提供され、前記多数個の第２フィルター支持部２３５は、円周方向に配列されて前記第１及び第２フレーム２３１，２３２の周縁部に連結され得る。
【０１３２】
前記第１及び第２フレーム２３１，２３２及び前記多数の第２フィルター支持部２３５によって、前記第２フィルター部材２２０の装着空間が規定される。そして、前記第２フィルター支持部２３５の外側には第２支持部カバー２３６を結合することができる。
【０１３３】
前記第２フィルターフレーム２３０にはセンサ装置２３７を設置することができる。前記センサ装置２３７には、空気中の塵埃の量を感知する塵埃センサ２３７ａ、及び空気中のガスの量を感知するガスセンサ２３７ｂが含まれ得る。前記塵埃センサ２３７ａ及びガスセンサ２３７ｂは、前記第２フィルターフレーム２３０の第２フレーム２３２に支持されるように配置することができる。そして、前記センサ装置２３７には、前記塵埃センサ２３７ａ及びガスセンサ２３７ｂを覆うセンサカバー２３７ｃがさらに含まれる。
【０１３４】
前記装着空間には、前記第２フィルター部材２２０を分離可能に装着することができる。前記第２フィルター部材２２０は円筒状の形状を有し、前記第２フィルター部材２２０の外周面を介して空気が流入することができる。前記第２フィルター部材２２０を通過する過程で、空気中の微細塵埃のような不純物がろ過され得る。
【０１３５】
前記第２フィルター部材２２０が円筒状の形状を有することによって、前記第２フィルター部材２２０を基準として、どの方向からも空気の流入が可能である。したがって、空気のフィルタリング面積が増加し得る。前記装着空間は、前記第２フィルター部材２２０の形状に対応して円筒状に備えることができる。前記第２フィルター部材２２０は、装着過程において、前記装着空間に向かってスライド可能に引き込まれ得る。反対に、前記第２フィルター部材２２０は、分離過程において、前記装着空間からスライド可能に引き出され得る。
【０１３６】
その一方、前記第２フィルター部材２２０は、前記装着空間から分離された状態で、前記装着空間に向かって半径方向内側にスライドされて前記支持装置２４０の上面に支持され、前記第１及び第２ハンドル２４１，２４４の操作によって上方に密着し得る。このとき、前記第２フィルター部材２２０は前記第２送風装置２００への結合位置にあることになる。
【０１３７】
前記第２送風装置２００には、前記第２フィルター部材２２０の出口側に設置される第２ファンハウジング２５０がさらに含まれる。前記第２ファンハウジング２５０には、第２ファン２６０が収容されるハウジング空間部２５２が形成される。前記第２ファンハウジング２５０及び前記第２ファン２６０の構成は前記第１ファンハウジング１５０及び第１ファン１６０の構成と同一であるので、前記第２ファンハウジング２５０及び前記第２ファン２６０に関する説明は前記第１ファンハウジング１５０及び第１ファン１６０に関する説明を援用する。
【０１３８】
前記第２送風装置２００には、空気中の臭い粒子を除去又は殺菌するためのイオナイザ２５８がさらに含まれる。前記イオナイザ２５８は、前記第２ファンハウジング２５０に結合され、前記第２ファンハウジング２５０の内部を流動する空気に作用することができる。前記イオナイザ２５８は、前記第１送風装置１００のイオナイザと同一の構成を有することができる。
【０１３９】
図５は、本発明の実施例に係る第３エアガイド装置及び第２吐出ガイド装置の構成を示す分解斜視図であり、図６は、本発明の実施例に係る流動調節装置及び前記流動調節装置が結合される部品の構成を示す分解斜視図であり、図７は、本発明の実施例に係る流動調節装置の構成を示す斜視図であり、図８は、本発明の実施例に係る第３エアガイド装置及び第２吐出ガイド装置の結合状態を示す図であり、図９は、本発明の実施例に係る流動調節装置の左右方向の回転のために第１ガイド機構が作用する様子を示す図であり、図１０は、本発明の実施例に係る流動調節装置の構成を示す断面図である。
【０１４０】
図５乃至図１０を参照すると、本発明の実施例に係る第２送風装置２００には、前記第２ファン２６０の上側に結合されて、前記第２ファン２６０を通過した空気の流動をガイドする第３エアガイド装置２７０がさらに含まれる。
【０１４１】
前記第３エアガイド装置２７０には、前記第３エアガイド装置２７０の外周面を形成する外壁２７１、及び前記外壁２７１の内側に位置し、前記第３エアガイド装置２７０の内周面を形成する内壁２７２が含まれる。前記外壁２７１の内周面と前記内壁２７２の外周面との間には、空気が流動する第１空気流路２７２ａが形成される。
【０１４２】
そして、前記第３エアガイド装置２７０には、前記第１空気流路２７２ａに配置されるガイドリブ２７５が含まれる。前記ガイドリブ２７５は、前記内壁２７２の外周面から前記外壁２７１の内周面に延びる。
【０１４３】
前記第３エアガイド装置２７０には、前記内壁２７２から下方に延びて第２ファンモータ２６５を収容するモータ収容部２７３がさらに含まれる。前記モータ収容部２７３は、下部に行くほど直径が小さくなるボウル（ｂｏｗｌ）形状を有することができる。
【０１４４】
前記第２ファンモータ２６５は、前記第２ファン２６０の上側に結合されて前記第２ファン２６０に駆動力を提供する。そして、前記第２ファンモータ２６５の一側にはモータ結合部２６６が備えられ、前記モータ結合部２６６は、前記第２ファンモータ２６５を前記第３エアガイド装置２７０に固定されるようにガイドする。
【０１４５】
前記第３エアガイド装置２７０には、前記流動調節装置３００の動きをガイドするためのガイド装置２７６，２７７が含まれる。
【０１４６】
前記ガイド装置２７６，２７７には、前記モータ収容部２７３に備えられる第１ラック２７６及び軸ガイド溝２７７が含まれる。
【０１４７】
前記第１ラック２７６は、前記流動調節装置３００の第１ギア３６０に連動する構成として理解される。前記第１ラック２７６は、前記モータ収容部２７３の内周面に備えられ、設定された曲率に応じて円周方向に延びることができる。そして、前記第１ラック２７６の長さは、前記第１ギア３６０に連動する距離に基づいて設定された長さに形成することができる。
【０１４８】
前記流動調節装置３００は左右方向、すなわち、時計方向又は反時計方向に回転することができる。この過程で、前記第１ギア３６０は、前記流動調節装置３００の回転軸３５４を中心に所定の回転半径を有して回転することができる。
【０１４９】
前記軸ガイド溝２７７は、前記第１ギア３６０の回転をガイドする溝であって、所定の曲率でラウンド状に延びる構成として理解される。一例として、前記軸ガイド溝２７７は、円周方向にラウンド状になるように形成することができる。すなわち、前記軸ガイド溝２７７は円弧の形状を有することができる。
【０１５０】
前記軸ガイド溝２７７には、前記第１ギア３６０の第１ギア軸３６２が挿入され得る。前記第１ギア３６０が回転する過程で、前記第１ギア軸３６２は前記軸ガイド溝２７７に沿って移動することができる。
【０１５１】
前記第２送風装置２００には、前記第３エアガイド装置２７０の上側に設けられ、前記第３エアガイド装置２７０を通過した空気の流動をガイドする第２吐出ガイド装置２８０が備えられる。
【０１５２】
前記第２吐出ガイド装置２８０は、内部が空いている略環状の形状を有することができる。詳細には、前記第２吐出ガイド装置２８０には、前記第２吐出ガイド装置２８０の外周面を形成し、円筒状の形状を有する吐出外壁２８１、及び前記吐出外壁２８１の内側に位置して前記第２吐出ガイド装置２８０の内周面を形成し、円筒状の形状を有する吐出内壁２８２が含まれる。
【０１５３】
前記吐出外壁２８１は、前記吐出内壁２８２を取り囲むように配置される。前記吐出外壁２８１の内周面と、前記吐出内壁２８２の外周面との間には、空気が流動する前記第３エアガイド装置２７０を通過した空気の流動が行われる第２空気流路２８２ａ、すなわち、吐出流路が形成される。前記吐出流路は、前記ガイドリブ２７５が備えられる第１空気流路２７２ａの上側に位置し得る。
【０１５４】
前記第２吐出ガイド装置２８０には、前記吐出流路２８２ａに配置される第２吐出グリル２８８がさらに含まれる。前記第２吐出グリル２８８は、前記吐出内壁２８２の外周面から前記吐出外壁２８１の内周面に延びる。
【０１５５】
前記第２吐出ガイド装置２８０には、前記吐出内壁２８２に結合される回転ガイド板２８３がさらに含まれる。前記回転ガイド板２８３は、前記吐出内壁２８２の内周面から前記第２吐出ガイド装置２８０の内部中心に向かって延びることができる。
【０１５６】
前記回転ガイド板２８３には、前記流動調節装置３００の左右方向の回転中心を提供する軸挿入部２８４が含まれる。前記軸挿入部２８４には前記回転軸３５４が挿入され得る。前記軸挿入部２８４は、前記第２吐出ガイド装置２８０の内部中心部に位置し得る。前記回転ガイド板２８３は、前記軸挿入部２８４を支持するための支持板として理解されてもよい。
【０１５７】
前記回転ガイド板２８３にはベアリング溝２８５がさらに含まれる。前記ベアリング溝２８５には、前記流動調節装置３００に備えられる第１ベアリング３５３が挿入され得る。前記ベアリング溝２８５は、前記第１ベアリング３５３の移動をガイドする溝であって、設定された曲率でラウンド状に延びる構成として理解される。一例として、前記ベアリング溝２８５は、円周方向にラウンド状になるように形成することができる。すなわち、前記ベアリング溝２８５は円弧の形状を有することができる。
【０１５８】
前記流動調節装置３００の左右方向の回転過程において、前記第１ベアリング３５３は、前記ベアリング溝２８５に挿入されて移動し得、これによって、前記流動調節装置３００の回転過程で発生する摩擦力を減少させることができる。
【０１５９】
前記流動調節装置３００には、第３ファン３３０が収容される第３ファンハウジング３１０が含まれる。前記第３ファンハウジング３１０は略環状の形状を有する。説明の便宜上、前記第１ファン１６０及び前記第２ファン２６０を「送風ファン」と命名し、前記第３ファン３３０を「循環ファン」と命名することができる。言い換えれば、前記第１ファン１６０及び前記第２ファン２６０を「メインファン」と命名し、前記第３ファン３３０を「サブファン」と命名することができる。
【０１６０】
詳細には、前記第３ファンハウジング３１０には、外観を形成するハウジングカバー３１２が含まれる。前記ハウジングカバー３１２の内側には、環状の形状を有するハウジング本体３１１が備えられる。すなわち、前記ハウジングカバー３１２は、前記ハウジング本体３１１の外周面に結合され、前記ハウジング本体３１１によって支持され得る。
【０１６１】
前記ハウジング本体３１１には、前記ハウジング本体３１１の外周面から突出して前記ハウジングカバー３１２の内側を支持するカバー支持部３１１ａが含まれる。前記カバー支持部３１１ａは折り曲げられた形状を有し、前記カバー支持部３１１ａの外面は前記ハウジングカバー３１２の内面に結合され得る。
【０１６２】
前記ハウジングカバー３１２は、前記ハウジング本体３１１を取り囲むように配置され、前記ハウジング本体３１１及び前記ハウジングカバー３１２は共に回転又は移動することができる。前記ハウジング本体３１１の内部には前記第３ファン３３０が収容される。そして、前記ハウジング本体３１１の内部空間には、前記第３ファン３３０の駆動によって空気が流動するハウジング流路３１４が形成される。前記ハウジング流路３１４には、前記第３ファン３３０のブレード３３３が位置することができる。前記ブレード３３３の回転によって、空気は前記ハウジング流路３１４を経て上方に流動することができる。前記ハウジング流路３１４は、前記ブレード３３３が位置した空間から前記ブレード３３３の上側空間まで延びることができる。
【０１６３】
前記第３ファンハウジング３１０の上側には、前記第３ファン３３０を通過した空気が排出される第２吐出部３０５を形成する吐出グリル３１５が備えられる。詳細には、図１７を参照すると、前記吐出グリル３１５には、グリル外壁３１６と、前記グリル外壁３１６の内側に備えられるグリル内壁３１７と、前記グリル外壁３１６から前記グリル内壁３１７に延びる多数のグリル部３１５ａとが含まれる。前記多数のグリル部３１５ａの間の空間は前記第２吐出部３０５を形成する。
【０１６４】
前記空気清浄機１０には、前記第１送風装置１００の第１吐出部１０５と共に前記第２吐出部３０５が備えられるので、吐出風量が改善され、様々な方向に空気が吐出される効果が奏される。
【０１６５】
前記グリル外壁３１６及び前記グリル内壁３１７は、それぞれ円筒状の形状を有し、前記グリル外壁３１６は前記グリル内壁３１７を取り囲むように配置することができる。そして、前記第２吐出部３０５は前記ハウジング流路３１４の上側に形成することができる。したがって、前記ハウジング流路３１４を通過した空気は、前記吐出グリル３１５の第２吐出部３０５を経由して空気清浄機１０の外部に排出され得る。
【０１６６】
前記吐出グリル３１５には、前記吐出グリル３１５の概ね中央部に凹形状を有し、前記ディスプレイ装置６００を支持する凹部３１８がさらに含まれる。前記凹部３１８は、前記グリル内壁３１７の下端部に備えることができる。
【０１６７】
前記凹部３１８には、前記ディスプレイ装置６００のディスプレイＰＣＢ６１０を支持する支持リブ３１８ａが備えられる。前記支持リブ３１８ａは、前記凹部３１８の上面から上方に突出することができる。そして、前記グリル内壁３１７は、前記ディスプレイＰＣＢ６１０の下側を支持することができる。
【０１６８】
前記ディスプレイ装置６００にはＰＣＢアセンブリ６０１が含まれる。前記ＰＣＢアセンブリ６０１には、照明源が備えられるディスプレイＰＣＢ６１０と、前記ディスプレイＰＣＢ６１０の上側に結合され、ディスプレイされる情報を様々な文字、数字または記号などで表示できるように前記照明源から照射される光を上方に向かって集中させるリフレクタ６２０と、前記吐出グリル３１５に支持され、前記照明源から照射される光を屈折させて前記ディスプレイ装置６００の上面、すなわち、ディスプレイ画面６０２の枠部６５０に向かうようにガイドする拡散板６３０とが含まれる。
【０１６９】
前記第３ファン３３０には軸流ファンが含まれ得る。詳細には、前記第３ファン３３０は、軸方向に流入した空気を軸方向に排出させるように作動することができる。すなわち、前記第２ファン２６０、前記第３エアガイド装置２７０の第１空気流路２７２ａ、及び第２吐出ガイド装置２８０の吐出流路２８２ａを経て前記第３ファン３３０に向かって上方に流動した空気は、前記第３ファン３３０から吐出されて、前記第３ファン３３０の上側に位置する第２吐出部３０５を介して外部に排出され得る。
【０１７０】
前記第３ファン３３０には、軸流ファンモータである第３ファンモータ３３５の回転軸３３６が結合される軸結合部を有するハブ３３１、及び前記ハブ３３１に円周方向に結合される多数のブレード３３３が含まれる。前記第３ファンモータ３３５は、前記第３ファン３３０の下側に結合され、第３モータハウジング３３７の内側に配置され得る。
【０１７１】
前記第１ファンモータ１６５及び第２ファンモータ２６５は、前記空気清浄機１０の縦方向を基準として一列に配置することができる。そして、前記第２ファンモータ２６５及び前記第３ファンモータ３３５は、前記空気清浄機１０の縦方向を基準として一列に配置することができる。まとめると、前記第１〜第３ファンモータ１６５，２６５，３３５又は第１〜第３ファン１６０，２６０，３３０の回転軸は、縦方向の同一軸線上に位置し得る。
【０１７２】
前記流動調節装置３００には、前記第３ファンハウジング３１０の下側に結合されて、前記第２吐出ガイド装置２８０を経た空気を前記第３ファンハウジング３１０にガイドする流動ガイド部３２０がさらに含まれる。
【０１７３】
前記流動ガイド部３２０には、前記第３ファンハウジング３１０への空気の流入をガイドする流入グリル３２５が含まれる。前記流入グリル３２５は、下方に凹んだ形状を有することができる。
【０１７４】
そして、前記第２吐出ガイド装置２８０の第２吐出グリル２８８の形状は、前記流入グリル３２５の形状に対応して下方に凹むように形成される。前記流入グリル３２５は、前記第２吐出グリル２８８の上側に装着され得る。このような構成によって、前記流入グリル３２５は、前記第２吐出グリル２８８に安定的に支持され得る。
【０１７５】
前記流動調節装置３００には、前記流動ガイド部３２０の下側に設置されて前記流動調節装置３００の左右方向への回転及び上下方向への回転をガイドする回転ガイド装置３５０がさらに含まれる。前記左右方向への回転を「第１方向回転」と呼び、前記上下方向への回転を「第２方向回転」と呼ぶことができる。
【０１７６】
前記回転ガイド装置３５０には、前記流動ガイド部３２０に結合されるガイド本体３５１が含まれる。前記ガイド本体３５１には、前記第１及び第２ガイド機構が設置される下面部３５１ａ、及び前記下面部３５１ａの周縁に備えられ、下方に突出するように構成される枠部３５１ｂが含まれる。
【０１７７】
前記回転ガイド装置３５０には、前記流動調節装置３００の第１方向回転をガイドするための第１ガイド機構、及び前記流動調節装置３００の第２方向回転をガイドするための第２ガイド機構が含まれる。
【０１７８】
前記第１ガイド機構には、駆動力を発生させる第１ギアモータ３６３、及び前記第１ギアモータ３６３に結合されて回転できる第１ギア３６０が含まれる。一例として、前記第１ギアモータ３６３には、回転角度の制御が容易なステップモータ（ｓｔｅｐ  ｍｏｔｏｒ）が含まれてもよい。
【０１７９】
前記第１ギア３６０は、前記第１ギアモータ３６３のモータ軸３６３ａに結合される。前記第１ガイド機構には、前記第１ギア３６０から下方に、すなわち、前記第３エアガイド装置２７０又は前記第２吐出ガイド装置２８０に向かって延びる第１ギア軸３６２がさらに含まれる。
【０１８０】
前記第１ギア３６０は、前記第３エアガイド装置２７０の第１ラック２７６にギア結合される。前記第１ギア３６０及び前記第１ラック２７６には、多数のギア歯が形成される。そして、前記第１ギアモータ３６３が駆動されると、前記第１ギア３６０は回転して前記第１ラック２７６に連動する。このとき、前記第３エアガイド装置２７０は固定された構成であるため、前記第１ギア３６０は移動することができる。
【０１８１】
そして、前記第３エアガイド装置２７０の軸ガイド溝２７７は、前記第１ギア３６０の移動をガイドすることができる。詳細には、前記第１ギア軸３６２は、前記軸ガイド溝２７７に挿入され得る。そして、前記第１ギア軸３６２は、前記第１ギア３６０が回転する過程で前記軸ガイド溝２７７に沿って円周方向に移動することができる。
【０１８２】
前記第１ガイド機構には、前記流動調節装置３００の回転中心を構成する回転軸３５４がさらに含まれる。前記第１ギア３６０及び前記第１ギア軸３６２は、回転軸３５４を中心に設定された回転半径を有して回転することができる。このとき、前記設定された回転半径を「第１回転半径」と呼ぶ。
【０１８３】
前記第１ラック２７６及び前記軸ガイド溝２７７は、前記流動調節装置３００の回転量又は回転角度に対応する長さに形成することができる。詳細には、前記第１ラック２７６及び前記軸ガイド溝２７７の円周方向の長さは、前記流動調節装置３００が回転する円周方向の距離よりも若干大きく形成することができる。これを通じて、前記第１ギア３６０が移動する過程において、前記第１ラック２７６から離脱することを防止することができる。そして、前記第１ギア軸３６２が移動する過程において、前記軸ガイド溝２７７の端部に干渉することを防止することができる。
【０１８４】
前記回転軸３５４は、前記ガイド本体３５１の下面部３５１ａに備えることができる。詳細には、前記回転軸３５４は、前記下面部３５１ａから下方に突出し得る。前記回転軸３５４は、前記第２吐出ガイド装置２８０の軸挿入部２８４に挿入され、前記軸挿入部２８４内で回転することができる。すなわち、前記第１ギア３６０が回転すると、前記第１ギア軸３６２及び第１ギア３６０は前記回転軸３５４を中心に円周方向に回転する。そして、前記回転軸３５４は、前記軸挿入部２８４内で自転するようになる。したがって、前記流動調節装置３００は、縦方向を軸方向として、第１方向、すなわち、時計方向又は反時計方向に回転することができる。
【０１８５】
前記第１ガイド機構には、前記流動調節装置３００の第１方向回転を容易にするためのベアリング３５３，３５５がさらに含まれる。前記ベアリング３５３，３５５は、前記流動調節装置３００の回転過程で発生する摩擦力を減少させることができる。
【０１８６】
前記ベアリング３５３，３５５には、前記ガイド本体３５１の下面部３５１ａに備えられる第１ベアリング３５３が含まれる。一例として、前記第１ベアリング３５３にはボールベアリング（ｂａｌｌ  ｂｅａｒｉｎｇ）が含まれてもよい。
【０１８７】
そして、前記第１ガイド機構には、前記下面部３５１ａから下方に突出して前記第１ベアリング３５３を支持するベアリング支持部３５４がさらに含まれる。前記ベアリング支持部３５４は設定された長さに形成されることで、前記第１ベアリング３５３が前記回転ガイド板２８３に接触できる位置に配置され得るようにガイドする。
【０１８８】
前記回転ガイド板２８３には、前記第１ベアリング３５３が挿入されるベアリング溝２８５が含まれる。前記流動調節装置３００が第１方向回転する過程で、前記第１ベアリング３５３は前記ベアリング溝２８５に挿入されて移動することができる。
【０１８９】
このとき、前記第１ベアリング３５３は、前記回転軸３５４を中心に設定された回転半径に回転することができる。このとき、前記設定された回転半径を「第２回転半径」という。前記第２回転半径は、前記第１回転半径よりも小さく形成することができる。すなわち、前記回転軸３５４から前記第１ベアリング３５３までの距離は、前記回転軸３５４から前記第１ギア軸３６２までの距離よりも短く形成することができる。このような構成によれば、前記下面部３５１ａが前記第３エアガイド装置２７０及び前記第２吐出ガイド装置２８０に安定的に支持されて回転することができる。
【０１９０】
前記第１ギア軸３６２が前記軸ガイド溝２７７に沿って移動するとき、前記第１ベアリング３５３は前記ベアリング溝２８５に沿って移動することができる。前記第１ギア軸３６２及び前記第１ベアリング３５３の円滑な移動のために、前記軸ガイド溝２７７の設定された曲率と、前記ベアリング溝２８５の設定された曲率とは同一であり得る。
【０１９１】
前記ベアリング３５３，３５５には前記第２ベアリング３５５がさらに含まれる。前記第２ベアリング３５５は、前記枠部３５１ｂに回転可能に設置することができる。前記枠部３５１ｂには、前記第２ベアリング３５５が結合されるベアリング挿入部３５１ｃを形成することができる。前記ベアリング挿入部３５１ｃは、前記枠部３５１ｂの底面から上方に凹むように構成することができる。そして、前記第２ベアリング３５５は多数個備えることができる。前記第２ベアリング３５５は、前記第２吐出ガイド装置２８０の吐出内壁２８２に接触可能に備えることができる。すなわち、前記吐出内壁２８２の内周面は、前記第２ベアリング３５５の接触面を形成することができる。前記第２ベアリング３５５が前記回転軸３５４を中心に前記吐出内壁２８２の内周面に沿って回転することによって、前記流動調節装置３００の第１方向回転を容易に行うことができる。
【０１９２】
図９を参照して、流動調節装置３００の第１方向回転について簡単に説明する。前記第１ギアモータ３６３が作動すると、前記第１ギア３６０が回転することができる。前記第１ギアモータ３６３は、上から見て、時計方向又は反時計方向に回転し、これに対応して、前記第１ギア３６０は前記時計方向又は反時計方向に回転することができる。
【０１９３】
一例として、前記第１ギアモータ３６３が時計方向に回転すると、前記第１ギア３６０及び第１ギア軸３６２は、前記軸ガイド溝２７７に沿って反時計方向に移動することができる。一方、前記第１ギアモータ３６３が反時計方向に回転すると、前記第１ギア３６０及び第１ギア軸３６２は、前記軸ガイド溝２７７に沿って時計方向に移動することができる。
【０１９４】
前記第１ギア３６０の時計方向又は反時計方向への移動によって、前記流動調節装置３００は、前記第１ギア３６０の移動方向と同一の方向に回転することができる。この過程において、前記第１ベアリング３５３はベアリング溝２８５に沿って移動し、前記第２ベアリング３５５は前記吐出内壁２８２の内周面に沿って移動することができる。このような作用によって、前記流動調節装置３００は、左右方向への設定された経路に沿って安定的に回転することができる。
【０１９５】
図１１は、本発明の実施例に係る流動調節装置の構成を示す分解斜視図であり、図１２は、本発明の実施例に係る流動調節装置の駆動部及び固定部の構成を示す分解斜視図であり、図１３は、本発明の実施例に係る流動調節装置に備えられる第２ラック及び第２ギアが連動する様子を示す図である。
【０１９６】
図７、図１１及び図１２を参照すると、本発明の実施例に係る流動調節装置３００には、前記流動調節装置３００の上下方向の回転をガイドする第２ガイド機構が含まれる。詳細には、前記第２ガイド機構には、前記ガイド本体３５１に固定される固定ガイド部材３５２が含まれる。前記固定ガイド部材３５２の下面に前記中心軸３５４を備えることができる。
【０１９７】
前記固定ガイド部材３５２には、回転ガイド部材３７０の下側を支持し、前記回転ガイド部材３７０の第２方向回転をガイドする第１ガイド面３５２ａが含まれる。前記第１ガイド面３５２ａは、前記固定ガイド部材３５２の上面の少なくとも一部分を形成し、前記回転ガイド部材３７０の回転経路に対応して上方にラウンド状に延びることができる。
【０１９８】
前記固定ガイド部材３５２には、前記回転ガイド部材３７０に接触可能に備えられて、前記回転ガイド部材３７０の回転運動時に発生する摩擦力を低減させることができる第１ガイドベアリング３５９がさらに含まれる。前記第１ガイドベアリング３５９は、前記第１ガイド面３５２ａの側方に位置し得る。
【０１９９】
前記固定ガイド部材３５２には、前記回転ガイド部材３７０の回転のために、第２ギア３６５が挿入され得る第２ギア挿入部３５２ｂがさらに含まれる。前記第２ギア挿入部３５２ｂは、前記第１ガイド面３５２ａの一側に形成される。一例として、前記第２ギア挿入部３５２ｂは、前記第１ガイド面３５２ａの少なくとも一部分が切開された形状を有することができる。
【０２００】
前記第２ギア３６５は、前記第１ガイド面３５２ａの下側に位置し、前記第２ギア３６５の少なくとも一部分は、前記第２ギア挿入部３５２ｂを貫通して前記第２ギア挿入部３５２ｂの上側に突出するように構成することができる。
【０２０１】
前記第２ガイド機構には、前記第２ギア３６５に結合されて駆動力を提供する第２ギアモータ３６７がさらに含まれる。一例として、前記第２ギアモータ３６７にはステップモータが含まれてもよい。そして、前記第２ガイド機構には、前記第２ギアモータ３６７から前記第２ギア３６５に延びる第２ギア軸３６６がさらに含まれる。前記第２ギア軸３６６は、前記第２ギアモータ３６７の側方に突出し得る。前記第２ギアモータ３６７が駆動されると、前記第２ギア軸３６６と前記第２ギア３６５は共に回転することができる。
【０２０２】
前記第２ガイド機構には、前記固定ガイド部材３５２の上側に回転可能に備えられる回転ガイド部材３７０がさらに含まれる。前記回転ガイド部材３７０は、前記流動ガイド部３２０の下側に結合され得る。
【０２０３】
詳細には、前記回転ガイド部材３７０には、前記固定ガイド部材３５２によって支持される本体部３７１が含まれる。そして、前記本体部３７１には、前記第１ガイド面３５２ａに沿って移動する第２ガイド面３７２が含まれる。前記第２ガイド面３７２は、前記第１ガイド面３５２ａの曲率に対応してラウンド状に形成することができる。
【０２０４】
前記回転ガイド部材３７０には、前記固定ガイド部材３５２に接触可能に備えられて、前記回転ガイド部材３７０の回転運動時に発生する摩擦力を低減させることができる第２ガイドベアリング３７５がさらに含まれる。前記第２ガイドベアリング３７５は、前記第２ガイド面３７２の側方に位置し、前記回転ガイド部材３７０が回転する過程で前記第１ガイド面３５２ａに沿って移動することができる。
【０２０５】
前記回転ガイド部材３７０には、前記第２ギア３６５に連動する第２ラック３７４がさらに含まれる。前記第２ギア３６５及び前記第２ラック３７４には多数のギア歯が形成され、前記多数のギア歯を介して、前記第２ギア３６５と前記第２ラック３７４はギア結合され得る。
【０２０６】
前記第２ギアモータ３６７が駆動すると、前記第２ギア３６５と前記第２ラック３７４の連動によって、前記回転ガイド部材３７０は上下方向に回転する動きを行うことができる。したがって、前記流動調節装置３００は、前記回転ガイド部材３７０の動きに従って第２方向回転を行うことができる。
【０２０７】
図１３を参照して、流動調節装置３００の第２方向回転について簡単に説明する。前記第２ギアモータ３６７が作動すると、前記第２ギア３６５が回転することができる。前記第２ギアモータ３６７は、半径方向を基準として時計方向又は反時計方向に回転し、これに対応して、前記第２ギア３６５は前記時計方向又は反時計方向に回転することができる。
【０２０８】
一例として、前記第２ギアモータ３６７が時計方向に回転すると、前記第２ギア３６５は時計方向に回転し、前記第２ラック３７４は前記第２ギア３６５に連動して反時計方向に回転することができる。前記第２ラック３７４の回転によって、前記回転ガイド部材３７０及び前記流動ガイド部３２０は共に回転することができる。結局、前記ファンハウジング３１０は反時計方向に回転することができる。
【０２０９】
一方、前記第２ギアモータ３６７が反時計方向に回転すると、前記第２ギア３６５は反時計方向に回転し、前記第２ラック３７４は前記第２ギア３６５に連動して時計方向に回転することができる。前記第２ラック３７４の回転によって、前記回転ガイド部材３７０及び前記流動ガイド部３２０は共に回転することができる。結局、前記ファンハウジング３１０は時計方向に回転することができる。このような作用によって、前記流動調節装置３００は、上下方向への設定された経路に沿って安定的に回転することができる。
【０２１０】
図１４及び図１５は、本発明の実施例に係る流動調節装置が第２位置にある様子を示す図であり、図１６は、図１４の流動調節装置がＡ方向に回転した様子を示す図である。
【０２１１】
図１４及び図１５は、前記流動調節装置３００が前記第２吐出ガイド装置２８０の上側に突出した状態、すなわち、前記回転ガイド部材３７０が上方に回転して前記ファンハウジング３１０が上方に立てられた状態（第２位置）の様子を示す。
【０２１２】
前記流動調節装置３００は、図１４に示された「Ｂ」の方向に上下回転可能に作動して、前記第１位置（図１参照）又は前記第２位置に位置することができる。前記流動調節装置３００が前記第１位置にあるとき、前記流入グリル３２５は前記第２吐出グリル２８８の上面に載置される。一方、前記流動調節装置３００が前記第２位置にあるとき、前記流入グリル３２５は、前記第２吐出グリル２８８の上面から上方に離隔することができる。
【０２１３】
前記第３ファン３３０は、前記流動調節装置３００が前記第１位置又は前記第２位置にあるかによって選択的に作動することができる。
【０２１４】
詳細には、図２３を参照すると、前記流動調節装置３００が前記第１位置にある状態で、前記第１及び第２ファン１６０，２６０は回転して空気流動を発生させることができる。前記第１ファン１６０の作動によって、前記空気清浄機１０の下部での空気の吸込及び吐出（第１流動）が発生することができる。そして、前記第２ファン２６０の作動によって、前記空気清浄機１０の上部での空気の吸込及び吐出（第２流動）が発生することができる。前記第１流動と第２流動とは前記仕切り装置４００によって分離することができる。
【０２１５】
そして、前記第３ファン３３０は選択的に作動することができる。前記第３ファン３３０が作動すると、前記第２流動はより一層強力に発生することができる。すなわち、前記第２ファン２６０及び第３ファン３３０によって、空気清浄機１０の上部での強い吐出気流が発生し、第２吐出部３０５を介して吐出することができる。勿論、前記第３ファン３３０は作動しなくてもよい。
【０２１６】
一方、前記流動調節装置３００が前記第２位置にある状態で、前記第１及び第２ファン１６０，２６０は回転して前記第１及び第２流動を発生させることができる。そして、前記第３ファン３３０は作動することができる。前記第２位置は、前記流動調節装置３００の第１位置に対して、上方に設定角度だけ傾斜した位置であるものと理解される。一例として、前記設定角度は約６０°であってもよい。
【０２１７】
詳細には、図２４を参照すると、前記第３ファン３３０の作動によって、前記第２吐出ガイド装置２８０を介して吐出される空気の少なくとも一部の空気は、前記第３ファンハウジング３１０の内部に流入し、前記第３ファン３３０を経て前記第２吐出部３０５から吐出され得る。このような作用によって、浄化された空気は、空気清浄機１０から遠く離れた位置まで到達することができる。
【０２１８】
そして、前記流動調節装置３００は、前記第２位置にある状態で、軸方向を基準として左右方向に回転することができる。図１４は、前記流動調節装置３００が前記第２位置にある状態で一方向（図１４基準、左側方向）に向かうように位置した様子を示す。ここで、前記一方向は、空気清浄機１０の前方を中心に左側４５°に向かう方向であり得る。
【０２１９】
前記流動調節装置３００は、前記第２位置にある状態で他方向に向かうように位置してもよい。ここで、前記他方向は、空気清浄機１０の前方を中心に右側４５°に向かう方向であってもよい。すなわち、前記流動調節装置３００の回転角度は約９０°を形成することができる。
【０２２０】
このように、前記流動調節装置３００が軸方向を基準として左右方向に回転できるので、空気清浄機１０を中心に様々な方向に遠距離まで吐出気流を送ることができるという効果が奏される。
【０２２１】
図１７は、本発明の実施例に係る吐出グリルに結合されるディスプレイ装置の構成を示す分解斜視図であり、図１８は、本発明の実施例に係る吐出グリルにＰＣＢアセンブリが結合される様子を示す図であり、図１９は、本発明の実施例に係るＰＣＢアセンブリの構成を示す分解斜視図であり、図２０は、本発明の実施例に係るディスプレイ装置の上面の構成を示す図であり、図２１は、本発明の実施例に係るＰＣＢアセンブリの底面の構成を示す図である。
【０２２２】
図１７乃至図２１を参照すると、本発明の実施例に係るディスプレイ装置６００は前記空気清浄機１０の上部に設置することができる。前記ディスプレイ装置６００のディスプレイ画面６０２は、前記空気清浄機１０の上面の少なくとも一部を構成することができる。
【０２２３】
前記ディスプレイ装置６００は前記吐出グリル３１５に設置することができる。前記吐出グリル３１５の概ね中央部には下方に凹んだ形状を有する凹部３１８が備えられ、前記凹部３１８から半径方向外側に向かって多数のグリル部３１５ａが延設され得る。そして、前記ディスプレイ装置６００は前記凹部３１８の上側に配置することができる。
【０２２４】
前記ディスプレイ装置６００にはＰＣＢアセンブリ６０１が含まれる。前記ＰＣＢアセンブリ６０１には、多数の照明源６５１，６５５が備えられるディスプレイＰＣＢ６１０、及び前記ディスプレイＰＣＢ６１０の上側に結合されて、前記多数の照明源６５１から照射された光を前記ディスプレイ画面６０２に向かって集中させるリフレクタ６２０が含まれる。
【０２２５】
前記多数の照明源６５１，６５５には、空気清浄機１０の運転情報を表示するための第１照明源６５１、及び前記ディスプレイ装置６００のディスプレイ画面６０２の枠を表示するための第２照明源６５５が含まれる。前記ディスプレイ画面６０２は、前記情報を表示できる設定された領域（以下、表示領域）であって、前記ディスプレイ装置６００の上面に形成される。そして、前記ディスプレイ画面６０２の枠は前記表示領域の境界を形成することができる。
【０２２６】
前記ディスプレイＰＣＢ６１０には略円形の基板本体６１１が含まれる。前記基板本体６１１には、前記第１照明源６５１が設置される本体前面部６１１ａ、及び前記第２照明源６５５が設置される本体後面部６１１ｂが含まれる。
【０２２７】
前記第１照明源６５１は、ディスプレイされる内容の形状に対応して前記本体前面部６１１ａに多数個備えることができる。そして、前記第２照明源６５５は多数個備えられ、前記多数個の第２照明源６５５は前記本体後面部６１１ｂの周縁に沿って配置され得る。一例として、前記多数個の第２照明源６５５は円形状に配置されてもよい。
【０２２８】
前記リフレクタ６２０には、リフレクタ本体６２１、及び前記リフレクタ本体６２１に形成され、前記第１照明源６５１から照射される光を上方に集中させる貫通孔６２３が含まれる。前記リフレクタ本体６２１は、光の透過が制限される不透明な材質で構成されるか、または前記不透明な材質がコーティングされるように構成される。
【０２２９】
前記リフレクタ６２０の上側にはリフレクタフィルム６２５が備えられる。前記リフレクタフィルム６２５には、ディスプレイされる情報の内容、すなわち、所定の文字、数字または記号などが表示される模様表示部６２６が含まれる。前記リフレクタ６２０を介して集中された光は前記模様表示部６２５に作用して、所定の情報を具現することができる。前記模様表示部６２６は透明な材質で構成することができる。
【０２３０】
一例として、図１９に示されるように、前記模様表示部６２６には、「臭い」、「塵埃」、「微細塵埃」、「フィルター交換」のような文字、数字を表示できる８８８模様、送風量の強度を示す記号などが含まれてもよい。
【０２３１】
前記第１照明源６５１は、前記模様表示部６２６と対応する位置に配置することができる。一例として、前記第１照明源６５１は前記模様表示部６２６の下側に配置することができる。前記模様表示部６２６は、多数備えられて様々な模様を構成するので、前記第１照明源６５１は、前記多数の模様表示部６２６に対応して多数個備えることができる。前記第１照明源６５１から照射される光は、前記模様表示部６２６を透過して外部に露出し得る。そして、前記多数の第１照明源６５１のオン／オフの制御によって様々な情報を表示することができる。
【０２３２】
前記ディスプレイ装置６００には、前記ＰＣＢアセンブリ６０１の外側を取り囲む拡散板６３０が含まれる。前記拡散板６３０は、前記第２照明源６５５から照射される光を拡散させてディスプレイ画面６２２の枠部６５０を形成する構成として理解できる。
【０２３３】
前記拡散板６３０は、前記凹部３１８の周縁に沿って配置することができる。詳細には、前記拡散板６３０には、前記ディスプレイＰＣＢ６１０を取り囲むように配置される板本体６３１、及び前記板本体６３１の内周面から突出して前記第２照明源６５５が設置される照明収容部６３５が含まれる。前記板本体６３１はリング状を有することができ、前記吐出グリル３１５に支持され得る。そして、前記板本体６３１及び照明収容部６３５は一体に形成することができる。
【０２３４】
前記板本体６３１及び前記照明収容部６３５は、光の屈折又は拡散が可能な半透明の材質で構成することができる。一例として、前記板本体６３１及び照明収容部６３５はアクリル材質で構成することができる。
【０２３５】
前記板本体６３１は、前記ディスプレイ画面６２２の枠部６５０を構成することができる。詳細には、前記板本体６３１の上部は、前記空気清浄機１０の上面に露出された状態であり得、前記第２照明源６５５から照射される光は、前記照明収容部６３５及び板本体６３１を介して拡散する。そして、前記拡散した光は前記空気清浄機１０の上部に移動して、前記枠部６５０を構成することができる。
【０２３６】
前記板本体６３１及び照明収容部６３５は半透明の材質で構成されるので、前記枠部６５０はほんのりとした光で具現することができる。したがって、心地よい感じのディスプレイ画面を構成することができる。
【０２３７】
前記ディスプレイ装置６００には、前記ＰＣＢアセンブリ６０１の上側に備えられるディスプレイカバー６４０がさらに含まれる。前記ディスプレイカバー６４０は、前記ディスプレイＰＣＢ６１０の外側を支持し、カバーフィルム６４５を平らに維持するための構成として理解できる。前記ディスプレイカバー６４０は、光の透過を防止する不透明の材質で構成することができる。
【０２３８】
前記ディスプレイカバー６４０には、前記リフレクタフィルム６２５に対応する形状を有するカバーホール６４１が形成される。前記カバーホール６４１の構成によって、前記リフレクタ６２０に前記ディスプレイカバー６４０が結合されても、前記リフレクタフィルム６２５は上方に向かって露出し得る。
【０２３９】
前記ディスプレイカバー６４０の上側にはカバーフィルム６４５が備えられる。一例として、前記カバーフィルム６４５は、前記ディスプレイカバー６４０の上面に付着することができる。前記カバーフィルム６４５は、前記ＰＣＢアセンブリ６０１から伝達される光の一部のみを透過させるために半透明の材質で構成することができる。一例として、前記半透明の材質には、アクリル又はポリメタクリル酸メチル樹脂（ＰＭＭＡ）が含まれてもよい。前記カバーフィルム６４５が備えられることによって、前記ディスプレイ装置６００を介して表示される情報が過度に眩しく具現されることを防止することができる。
【０２４０】
前記カバーフィルム６４５には、使用者が所定の命令を入力したり、空気清浄機１０の多数の運転情報のうち一部の運転情報をディスプレイしたりするフィルム表示部６４６が備えられる。
【０２４１】
図２２乃至図２４は、本発明の実施例に係る空気清浄機での空気流動の様子を示す図である。
【０２４２】
まず、第１送風装置１００の駆動による空気の流れを説明する。第１ファン１６０が駆動すると、第１吸込部１０２及びベース吸込部１０３を介して室内空気が第１ケース１０１の内部に吸い込まれる。吸い込まれた空気は、第１フィルター部材１２０を通過し、この過程で空気中の異物がろ過され得る。そして、空気が第１フィルター部材１２０を通過する過程で、空気は第１フィルター部材１２０の半径方向に吸い込んでろ過された後、上方に流動する。
【０２４３】
前記第１フィルター部材１２０を通過した空気は、第１ファン１６０を通過しながら半径方向上側に流動し、第１及び第２エアガイド装置１７０，１８０を通過しながら安定した上方流動が行われる。前記第１及び第２エアガイド装置１７０，１８０を通過した空気は、第１吐出ガイド装置１９０を経由し、第１吐出部１０５を介して上方に流動する。前記第１吐出部１０５を介して排出された空気は、前記第１吐出ガイド装置１９０の上側に位置した遮断壁４３０によってガイドされて前記空気清浄機１０の外部に排出される。
【０２４４】
一方、第２ファン２６０が駆動すると、第２吸込部２０２を介して室内空気が第２ケース２０１の内部に吸い込まれる。吸い込まれた空気は、第２フィルター部材２２０を通過し、この過程で空気中の異物がろ過され得る。そして、空気が第２フィルター部材２２０を通過する過程で、空気は第２フィルター部材２２０の半径方向に吸い込んでろ過された後、上方に流動する。
【０２４５】
前記第２フィルター部材２２０を通過した空気は、第２ファン２６０を通過しながら半径方向上側に流動し、第３エアガイド装置２７０及び第２吐出ガイド装置２８０を通過しながら安定した上方流動が行われる。前記第３エアガイド装置２７０及び第２吐出ガイド装置２８０を通過した空気は、流動調節装置３００を経由して第２吐出部３０５を介して排出され得る。
【０２４６】
前記流動調節装置３００は、第２ガイド機構によって上下方向に回転可能に備えられ得る。一例として、図２２乃至図２４に示されるように、前記流動調節装置３００が第１位置にあると、前記流動調節装置３００から排出された空気は上方に流動する。
【０２４７】
反面、前記流動調節装置３００が第２位置にあると、前記流動調節装置３００から排出された空気は前方上側に向かって流動し得る。前記流動調節装置３００によって、空気清浄機１０から排出される空気の風量は増加し、空気清浄機１０から遠く離れた位置まで浄化された空気を供給できるという利点がある。
【０２４８】
詳細には、前記流動調節装置３００の第３ファン３３０が駆動すると、前記第２吐出ガイド装置２８０から排出された空気の少なくとも一部の空気が前記第３ファンハウジング３１０の内部に流入し得る。そして、前記流入した空気は、前記第３ファン３３０を通過し、前記第２吐出部３０５を介して外部に排出され得る。
【０２４９】
一方、前記流動調節装置３００は、前記第２位置にある状態で、第１ガイド機構によって左右方向に回転することができる。一例として、図１４及び図１５に示されるように、前記流動調節装置３００が前方上側に向かう場合、前記第２吐出部３０５を介して排出される空気は前方上側に流動し得る。反面、図１６に示されるように、前記流動調節装置３００が後方上側に向かう場合、前記第２吐出部３０５を介して排出される空気は後方上側に流動し得る。
【０２５０】
このような作用によれば、空気清浄機１０から吐出される空気が単に上方に向かうものではなく、前方に向かうことができるので、空気清浄機１０から相対的に遠く離れた空間に向かう気流が発生することができる。そして、前記流動調節装置３００には別途の第３ファン３３０が備えられるので、吐出される空気の送風力が増加し得る。
【０２５１】
また、前記流動調節装置３００は前記第１方向回転を行うことができるので、前記空気清浄機１０の前方両側に空気を吐出することができ、これによって、相対的に広い室内空間に向かって気流を提供できるという効果が奏される。
【０２５２】
空気清浄機１０の運転モードに応じて、前記流動調節装置３００は選択的に作用することができる。空気清浄機１０が一般運転モード（第１運転モード）で運転される場合、図２２及び図２３に示されるように、前記流動調節装置３００は横になっている第１位置にあることになる。そして、前記第１及び第２送風装置１００，２００が駆動して、独立した多数の気流を形成できる。
【０２５３】
すなわち、前記第１送風装置１００が駆動すると、前記第１吸込部１０２及びベース吸込部１０３を介した空気の吸い込みが行われ、第１フィルター部材１２０及び第１ファン１６０を通過して前記第１吐出部１０５を介して排出され得る。そして、前記第２送風装置２００が駆動されると、前記第２吸込部２０２を介した空気の吸い込みが行われ、第２フィルター部材２２０及び第２ファン２６０を通過し、前記第３ファン３３０を経由することができる。前記第３ファン３３０は、前記第２ファン２６０の回転数と対応する回転数を有するように駆動して、空気流動をガイドすることができる。
【０２５４】
一方、前記流動調節装置３００は、第１位置にある状態で、第１方向回転を行いながら、前記空気清浄機１０の前方両側の方向に気流を変化させることもできる。
【０２５５】
反面、前記空気清浄機１０が流動切替モード（第２運転モード）で運転される場合、図２４に示されるように、前記流動調節装置３００は上方に回転して、空気清浄機１０の上端部から突出することができる。一方、流動切替モードでの前記第１及び第２送風装置１００，２００の駆動は、一般運転モードでの第１及び第２送風装置１００，２００の駆動形態と同一であり得る。
【０２５６】
そして、前記第３ファン３３０は駆動され、これによって、前記第２ファン２６０及び第２吐出ガイド装置２８０の吐出流路２８２ａを通過した空気の少なくとも一部の空気は、前記第３ファンハウジング３１０に流入する。そして、前記流入した空気の少なくとも一部の空気は、前記第３ファン３３０を通過しながら、前記空気清浄機１０の前方上側又は後方上側に向かって吐出され得る。
【産業上の利用可能性】
【０２５７】
本発明の実施例によれば、流動調節装置には、左右方向の回転をガイドする第１ガイド機構、及び上下方向の回転をガイドする第２ガイド機構が備えられるので、前記流動調節装置は、前記第２ガイド機構の作動によって横になっている第１位置又は立てられている第２位置にある状態で、前記第１ガイド機構の作動によって左右方向に回転しながら吐出気流を調節できるので、産業上の利用可能性が顕著である。
【図１】
2019512077.tif 000003
【図２】
2019512077.tif 000004
【図３】
2019512077.tif 000005
【図４】
2019512077.tif 000006
【図５】
2019512077.tif 000007
【図６】
2019512077.tif 000008
【図７】
2019512077.tif 000009
【図８】
2019512077.tif 000010
【図９】
2019512077.tif 000011
【図１０】
2019512077.tif 000012
【図１１】
2019512077.tif 000013
【図１２】
2019512077.tif 000014
【図１３】
2019512077.tif 000015
【図１４】
2019512077.tif 000016
【図１５】
2019512077.tif 000017
【図１６】
2019512077.tif 000018
【図１７】
2019512077.tif 000019
【図１８】
2019512077.tif 000020
【図１９】
2019512077.tif 000021
【図２０】
2019512077.tif 000022
【図２１】
2019512077.tif 000023
【図２２】
2019512077.tif 000024
【図２３】
2019512077.tif 000025
【図２４】
2019512077.tif 000026
【国際調査報告】
2019512077.tif 000027
2019512077.tif 000028
2019512077.tif 000029
2019512077.tif 000030